(57)【要約】【課題】商品役務広告部の閉じ合わされている部分を容易に開くことができると共に新聞等への折り込み性を高めることのできる申込書を提供する。【解決手段】見開き状または葛折り状に形成された商品役務広告部１１と、商品役務広告部１１に掲載された商品の購入を申し込むための封筒部１２とを備えた申込書であって、商品役務広告部１１及び封筒部１２が、長方形状をなす一枚の用紙から形成されているとともに、用紙の長辺または短辺に平行な一の方向に沿って用紙に互いに平行に形成された二つの帯状接着剤塗布領域に接着剤を塗布した後、用紙の前記一の方向の端部同士が重なり合わないように用紙を帯状接着剤塗布領域と直交する方向に延びる折り畳み線にて折り畳むことにより、互いに隣接して形成されている。【選択図】図１
2010094868.tif 000002
【特許請求の範囲】
【請求項１】
商品役務広告部と、該商品役務広告部に掲載された商品の購入又は役務の提供を申し込むための封筒部とを備えた申込書であって、
前記商品役務広告部および前記封筒部が、長方形状をなす一枚の用紙から形成されているとともに、前記用紙のいずれかの辺に平行な一の方向に沿って前記用紙に互いに平行に形成された二つの帯状接着剤塗布領域に接着剤を塗布した後、前記用紙の前記一の方向の端部同士が重なり合わないように、当該用紙を前記帯状接着剤塗布領域と直交する方向に延びる折り畳み線にて折り畳むことにより、互いに隣接して形成され、
かつ前記商品役務広告部および前記封筒部を形成する前記用紙に、前記商品役務広告部と前記封筒部とを切り離すためのミシン目線が前記用紙の前記一の方向に沿って形成されていることを特徴とする申込書。
【請求項２】
前記商品役務広告部が、前記折り畳み線を利用して見開き状に形成されていることを特徴とする請求項１記載の申込書。
【請求項３】
前記商品役務広告部が、前記折り畳み線及びそれに平行な他の折り畳み線を利用して葛折り状に形成されていることを特徴とする請求項１記載の申込書。
【発明の詳細な説明】
【技術分野】
【０００１】
本発明は、各種商品の購入または役務の提供を申し込むための申込書に関し、特に、新聞に折り込まれて折込用チラシとして配布されたり、ダイレクトメールで郵送されたり、あるいは販売店等の店先に置かれたりする申込書に関する。
【背景技術】
【０００２】
従来、新聞に折り込まれて折込用チラシとして配布されたり、ダイレクトメールで郵送されたりする申込書として、広告が印刷された用紙の所定部分に、封筒用紙片と、この封筒用紙片で形成された封筒内に封入される申込用紙片とがそれぞれ切り取り可能に設けられ、封筒用紙片の四周縁部分に所定の条件を加えることで接着する接着剤が塗布され、更に封筒用紙片の所定部分に封筒用紙片を二つ折りするための折り畳み予定線が表示されたものが知られている（例えば、特許文献１参照）。しかし、この申込書は、申込者自身が封筒用紙片を２つ折りにして封筒を作成しなければならないため、封筒の作成に手間を要するなどの問題がある。
【０００３】
そこで、かかる問題を解決するため、一枚の用紙に封筒と申込用紙と広告とを有し、上記封筒が長方形状をなす一枚の広告印刷物の一方側を封筒の横幅の大きさになるように折って上部及び下部を接着剤で接着して形成されたものが提案されている（例えば、特許文献２参照）。
【特許文献１】実用新案登録第３１２１９０７号公報
【特許文献２】特開２００７−２２５９０号公報
【発明の開示】
【発明が解決しようとする課題】
【０００４】
しかしながら、特許文献２に開示されたものは、広告印刷物の他方の側（申込用紙や広告となる部分）の一方の面と他方の面とが折り目を介して折り重なっているため、折り重なっている一方の面と他方の面とを開き難いという問題がある。
また、折込チラシとして新聞に折り込む際に広告印刷物の他方の側（申込用紙や広告となる部分）の一方の面と他方の面が開いてしまい、新聞等への折り込み性が低いという問題もある。
本発明は上述した問題点に鑑みてなされたものであり、商品役務広告部の閉じ合わされている部分を容易に開くことができると共に新聞等への折り込み性を高めることのできる申込書を提供することを目的とするものである。
【課題を解決するための手段】
【０００５】
上記課題を解決するため、請求項１の発明に係る申込書は、商品役務広告部と、該商品役務広告部に掲載された商品の購入又は役務の提供を申し込むための封筒部とを備えた申込書であって、前記商品役務広告部および前記封筒部が、長方形状をなす一枚の用紙から形成されているとともに、前記用紙のいずれかの辺に平行な一の方向に沿って前記用紙に互いに平行に形成された二つの帯状接着剤塗布領域に接着剤を塗布した後、前記用紙の前記一の方向の端部同士が重なり合わないように、当該用紙を前記帯状接着剤塗布領域と直交する方向に延びる折り畳み線にて折り畳むことにより、互いに隣接して形成され、かつ前記商品役務広告部および前記封筒部を形成する前記用紙に、前記商品役務広告部と前記封筒部とを切り離すためのミシン目線が前記用紙の前記一の方向に沿って形成されていることを特徴とするものである。
【０００６】
請求項２の発明に係る申込書は、請求項１記載の申込書において、前記商品役務広告部が、前記折り畳み線を利用して見開き状に形成されていることを特徴とするものである。
請求項３の発明に係る申込書は、請求項１記載の申込書において、前記商品役務広告部が、前記折り畳み線及びそれに平行な他の折り畳み線を利用して葛折り状に形成されていることを特徴とするものである。
【発明の効果】
【０００７】
本発明に係る申込書によると、商品役務広告部および封筒部が、長方形状をなす一枚の用紙から形成されているとともに、前記用紙のいずれかの辺に平行な一の方向に沿って用紙に互いに平行に形成された二つの帯状接着剤塗布領域に接着剤を塗布した後、用紙の前記一の方向の端部同士が重なり合わないように、用紙を帯状接着剤塗布領域と直交する方向に延びる折り畳み線にて折り畳むことにより、互いに隣接して形成されているため、用紙の端部同士が重なり合うように用紙を二つに折って商品役務広告部と封筒部を形成した場合と比較して、商品役務広告部の閉じ合わされている部分を容易に開くことができる。
【０００８】
また、商品役務広告部が封筒部の接着部分に隣接して形成されているため、特許文献２に開示されたもののように、折込チラシとして新聞等に折り込む際に商品役務広告部が開いてしまうことがないので、新聞等への折り込み性を高めることができる。
さらに、用紙を帯状接着剤塗布領域と直交する方向に折り畳んで封筒部を形成することで、見開き状または葛折り状の商品役務広告部が封筒部に隣接して形成されるため、用紙に綴じ込み広告を容易に形成することができる。
【発明を実施するための最良の形態】
【０００９】
図１〜図４は本発明の第１の実施形態に係る申込書を示す図であり、図１及び図２に示されるように、第１の実施形態に係る申込書は商品役務広告部１１及び封筒部１２を備えている。これらの商品役務広告部１１及び封筒部１２は長方形状をなす一枚の用紙１３（図３参照）から形成され、商品役務広告部１１は、図４に示されるように、見開き状に形成されている。
【００１０】
また、商品役務広告部１１は例えば１３０ｍｍ×２４０ｍｍの大きさで長方形状に形成された第１の広告用紙片部１１ａ（図１参照）と、この第１の広告用紙片部１１ａの二つの短辺部のうち一方の短辺部に隣接して形成された第２の広告用紙片部１１ｂ（図２参照）とを有しており、第２の広告用紙片部１１ｂは例えば１９０ｍｍ×２２０ｍｍの大きさで長方形状に形成されている。また、商品役務広告部１１は例えば６０ｍｍ×２４０ｍｍの大きさで長方形状に形成された申込用紙片部１１ｃ（図１参照）を有しており、この申込用紙片部１１ｃは第１の広告用紙片部１１ａの二つの長辺部のうち一方の長辺部に隣接して形成されている。
【００１１】
商品役務広告部１１に掲載された商品の購入または役務の提供を申し込むための封筒部１２は、用紙１３の長手方向に沿って縦長に形成されている。また、封筒部１２は用紙１３の長辺または短辺に平行な一の方向（本実施例では用紙１３の長手方向）に沿って用紙１３に互いに平行に形成された二つの帯状接着剤塗布領域１４ａ，１４ｂ（図３参照）に接着剤を塗布した後、用紙１３の前記一の方向（本実施例では用紙１３の長手方向）の端部１３ａ，１３ｂ同士が重なり合わないように用紙１３を帯状接着剤塗布領域１４ａ，１４ｂと直交する方向（本実施例では用紙１３の長手方向と直交する方向）に延びる折り畳み線１６（図３参照）にて折り畳んで形成されている。さらに、封筒部１２は二つの長辺部１２ａ，１２ｂ（図１参照）を有しており、これらの長辺部１２ａ，１２ｂのうち一方の長辺部（例えば長辺部１２ａ）に隣接して商品役務広告部１１が形成されている。
【００１２】
また、封筒部１２は表側封筒用紙片部１２ｃ（図１参照）と、この表側封筒用紙片部１２ｃの背面側に形成された裏側封筒用紙片部１２ｄ（図２参照）とを有しており、これらの表側封筒用紙片部１２ｃ及び裏側封筒用紙片部１２ｄは例えば１１６ｍｍ×２２０ｍｍの大きさで長方形状に形成されている。さらに、封筒部１２は例えば１１６ｍｍ×２０ｍｍの大きさで長方形状に形成された封緘片部１２ｅ（図２参照）を有しており、この封緘片部１２ｅは用紙１３の二つの長手方向端部１３ａ，１３ｂのうち一方の長手方向端部（例えば長手方向端部１３ａ）に形成されている。
【００１３】
商品役務広告部１１及び封筒部１２を形成する用紙１３は、例えば３０６ｍｍ×４６０ｍｍの大きさで長方形状に形成されている。また、用紙１３は商品役務広告部１１と封筒部１２とを切り離すためのミシン目線１５（図１参照）を有しており、このミシン目線１５は用紙１３の前記一の方向（本実施例では用紙１３の長手方向）に沿って形成されている。
なお、商品役務広告部１１の第１の広告用紙片部１１ａと封筒部１２の裏側封筒用紙片部１２ｄとの間に形成されたミシン目線１５のピッチは、商品役務広告部１１の申込用紙片部１１ｃと封筒部１２の表側封筒用紙片部１２ｃとの間に形成されたミシン目線１５のピッチよりも小さくなっている。
【００１４】
図１〜図４に示した第１の実施形態では、商品役務広告部１１および封筒部１２が、長方形状をなす一枚の用紙１３から形成されているとともに、用紙１３のいずれかの辺に平行な一の方向（例えば用紙１３の長手方向）に沿って用紙１３に互いに平行に形成された二つの帯状接着剤塗布領域１４ａ，１４ｂに接着剤を塗布した後、用紙１３の前記一の方向の端部１３ａ，１３ｂ同士が重なり合わないように用紙１３を帯状接着剤塗布領域１４ａ，１４ｂと直交する方向（例えば用紙１３の長手方向と直交する方向）に折り畳むことにより互いに隣接して形成されているため、用紙１３の端部１３ａ，１３ｂ同士が重なり合うように用紙１３を二つに折って商品役務広告部１１と封筒部１２を形成した場合と比較して、商品役務広告部１１の閉じ合わされている部分を容易に開くことができる。
【００１５】
また、商品役務広告部１１が封筒部１２の接着部分に隣接して形成されているため、特許文献２に開示されたもののように、折込チラシとして新聞等に折り込む際に商品役務広告部１１が開いてしまうことがないので、新聞等への折り込み性を高めることができる。
さらに、用紙１３を帯状接着剤塗布領域１４ａ，１４ｂと直交する方向に折り畳んで封筒部１２を形成することで、見開き状の商品役務広告部１１が封筒部１２に隣接して形成されるため、用紙１３に綴じ込み広告を容易に形成することができる。
【００１６】
図５〜図７は本発明の第２の実施形態に係る申込書を示す図であり、図５及び図６に示されるように、第２の実施形態に係る申込書は商品役務広告部１１及び封筒部１２を備えている。これらの商品役務広告部１１及び封筒部１２は、長方形状をなす一枚の用紙１３（図７参照）から形成されている。
また、商品役務広告部１１は例えば１８７ｍｍ×１９０ｍｍの大きさで長方形状に形成された第１の広告用紙片部１１ａ（図５参照）と、この第１の広告用紙片部１１ａの二つの短辺部のうち一方の短辺部に隣接して形成された第２の広告用紙片部１１ｂ（図６参照）とを有しており、第２の広告用紙片部１１ｂは例えば１８７ｍｍ×１６８ｍｍの大きさで長方形状に形成されている。また、商品役務広告部１１は例えば１８７ｍｍ×１６８ｍｍの大きさで長方形状に形成された申込用紙片部１１ｃ（図６参照）を有しており、この申込用紙片部１１ｃは第２の広告用紙片部１１ｂの二つの短辺部のうち一方の短辺部に隣接して形成されている。
【００１７】
商品役務広告部１１に掲載された商品の購入または役務の提供を申し込むための封筒部１２は、用紙１３の長手方向に沿って縦長に形成されている。また、封筒部１２は用紙１３の長辺または短辺に平行な一の方向（本実施例では用紙１３の長手方向）に沿って用紙１３に互いに平行に形成された二つの帯状接着剤塗布領域１４ａ，１４ｂ（図７参照）に接着剤を塗布した後、用紙１３の前記一の方向（本実施例では用紙１３の長手方向）の端部１３ａ，１３ｂ同士が重なり合わないように用紙１３を帯状接着剤塗布領域１４ａ，１４ｂと直交する方向（本実施例では用紙１３の長手方向と直交する方向）に延びる折り畳み線１６（図３参照）にて折り畳んで形成されている。さらに、封筒部１２は二つの長辺部１２ａ，１２ｂ（図５参照）を有しており、これらの長辺部１２ａ，１２ｂのうち一方の長辺部（例えば長辺部１２ａ）に隣接して商品役務広告部１１が形成されている。
【００１８】
また、封筒部１２は表側封筒用紙片部１２ｃ（図５参照）と、この表側封筒用紙片部１２ｃの背面側に形成された裏側封筒用紙片部１２ｄ（図６参照）とを有しており、これらの表側封筒用紙片部１２ｃ及び裏側封筒用紙片部１２ｄは例えば１１０ｍｍ×１７０ｍｍの大きさで長方形状に形成されている。さらに、封筒部１２は例えば１１０ｍｍ×２０ｍｍの大きさで長方形状に形成された封緘片部１２ｅ（図６参照）を有しており、この封緘片部１２ｅは用紙１３の二つの長手方向端部１３ａ，１３ｂのうち一方の長手方向端部（例えば長手方向端部１３ａ）に形成されている。
【００１９】
商品役務広告部１１及び封筒部１２を形成する用紙１３は、例えば２９７ｍｍ×５２６ｍｍの大きさで長方形状に形成されている。また、用紙１３は商品役務広告部１１と封筒部１２とを切り離すためのミシン目線１５（図５参照）を有しており、このミシン目線１５は用紙１３の前記一の方向（本実施例では用紙１３の長手方向）に沿って形成されている。なお、商品役務広告部１１は用紙１３を折り畳み線１６及びこれに平行な折り畳み線１７（図７参照）にて折り畳むことにより、葛折り状に形成されている。
【００２０】
図５〜図７に示した第２の実施形態では、商品役務広告部１１および封筒部１２が、長方形状をなす一枚の用紙１３から形成されているとともに、用紙１３のいずれかの辺に平行な一の方向（例えば用紙１３の長手方向）に沿って用紙１３に互いに平行に形成された二つの帯状接着剤塗布領域１４ａ，１４ｂに接着剤を塗布した後、用紙１３の前記一の方向の端部１３ａ，１３ｂ同士が重なり合わないように用紙１３を帯状接着剤塗布領域１４ａ，１４ｂと直交する方向（例えば用紙１３の長手方向と直交する方向）に折り畳むことにより互いに隣接して形成されているため、用紙１３の端部１３ａ，１３ｂ同士が重なり合うように用紙１３を二つに折って商品役務広告部１１と封筒部１２を形成した場合と比較して、商品役務広告部１１の閉じ合わされている部分を容易に開くことができる。
【００２１】
また、商品役務広告部１１が封筒部１２の接着部分に隣接して形成されているため、特許文献２に開示されたもののように、折込チラシとして新聞等に折り込む際に商品役務広告部１１が開いてしまうことがないので、新聞等への折り込み性を高めることができる。
さらに、用紙１３を帯状接着剤塗布領域１４ａ，１４ｂと直交する方向に折り畳んで封筒部１２を形成することで、葛折り状の商品役務広告部１１が封筒部１２に隣接して形成されるため、用紙１３に綴じ込み広告を容易に形成することができる。
【００２２】
上述した第１及び第２の実施形態では、商品役務広告部１１及び封筒部１２を形成する用紙１３として帯状接着剤塗布領域１４ａ，１４ｂが用紙１３の長手方向に沿って形成されたものを例示したが。これに限られるものではなく、例えば帯状接着剤塗布領域１４ａ，１４ｂが用紙１３の長手方向と直交する方向に沿って形成されたものを商品役務広告部１１及び封筒部１２を形成する用紙１３として用いてもよい。
また、第１及び第２の実施形態では用紙１３の二つの長手方向端部１３ａ，１３ｂのうち一方の長手方向端部に封筒部１２の封緘片部１２ｅが形成されるものを示したが、これに限られるものではなく、例えば用紙１３の長手方向と直交する方向の二つの端部のうち一方の端部に封筒部１２の封緘片部１２ｅが形成されていてもよい。
【図面の簡単な説明】
【００２３】
【図１】本発明の第１の実施形態に係る申込書の表面側を示す斜視図である。
【図２】本発明の第１の実施形態に係る申込書の裏面側を示す斜視図である。
【図３】本発明の第１の実施形態に係る申込書の商品役務広告部と封筒部を形成する用紙の平面図である。
【図４】本発明の第１の実施形態に係る申込書の商品役務広告部を見開いた状態を示す斜視図である。
【図５】本発明の第２の実施形態に係る申込書の表面側を示す斜視図である。
【図６】本発明の第２の実施形態に係る申込書の裏面側を示す斜視図である。
【図７】本発明の第２の実施形態に係る申込書の商品役務広告部と封筒部を形成する用紙の平面図である。
【符号の説明】
【００２４】
１１  商品役務広告部
１１ａ  第１の広告用紙片部
１１ｂ  第２の広告用紙片部
１１ｃ  申込用紙片部
１２  封筒部
１２ａ，１２ｂ  封筒部の長辺部
１２ｃ  表側封筒用紙片部
１２ｄ  裏側封筒用紙片部
１２ｅ  封緘片部
１３  用紙
１３ａ，１３ｂ  用紙の長手方向端部
１４ａ，１４ｂ  帯状接着剤塗布領域
１５  ミシン目線
１６，１７  折り畳み線
【図１】
2010094868.tif 000003
【図２】
2010094868.tif 000004
【図３】
2010094868.tif 000005
【図４】
2010094868.tif 000006
【図５】
2010094868.tif 000007
【図６】
2010094868.tif 000008
【図７】
2010094868.tif 000009